(57)【要約】      （修正有）【課題】作業性に優れるうえに、決められた位置に容易に貼り付けることが可能なコンクリート供試体用の記録票を提供する。【解決手段】コンクリート供試体に関する情報が記載されるコンクリート供試体用の記録票１である。そして、供試体を成形する際に使用される型枠９の内周面９ｂに対峙させる表面側に情報が記載される記載部が設けられる記載層と、記載層の上縁から上方に延伸されるアーム部５，５と、アーム部の先端に略直交する方向に向けて形成されて型枠の上縁部９ａに設置される載置部５１，５１とを備えている。【選択図】図１
2015141189.tif 000002
【特許請求の範囲】
【請求項１】
コンクリート供試体に関する情報が記載されるコンクリート供試体用の記録票であって、
前記コンクリート供試体を成形する際に使用される型枠の内周面に対峙させる表面側に前記情報が記載される記載部が設けられる本体部と、
前記本体部の上縁から上方に延伸されるアーム部と、
前記アーム部の先端に略直交する方向に向けて形成されて前記型枠の上縁部に設置される載置部とを備えることを特徴とするコンクリート供試体用の記録票。
【請求項２】
前記アーム部及び載置部は、複数が前記型枠の内周面の周方向に間隔を置いて略平行に形成されることを特徴とする請求項１に記載のコンクリート供試体用の記録票。
【請求項３】
前記型枠の上縁部に対峙させる前記載置部の面を粘着面に形成したことを特徴とする請求項１又は２に記載のコンクリート供試体用の記録票。
【請求項４】
前記本体部の表面側が透明フィルムによって覆われるとともに、前記透明フィルムの前記型枠の内周面に対峙させる面に粘着部を設けたことを特徴とする請求項１乃至３のいずれか一項に記載のコンクリート供試体用の記録票。
【発明の詳細な説明】
【技術分野】
【０００１】
本発明は、コンクリートの品質管理に必要な事項などの情報が記載されるコンクリート供試体用の記録票に関するものである。
【背景技術】
【０００２】
建設現場などで打設される生コンクリートは、所定の品質が確保されているか否かを確認する目的で一部が抜き取られて供試体に成形されて、圧縮強度試験などの品質確認試験が行われる。
【０００３】
そして、試験用に成形されるコンクリート供試体には、採取されたコンクリートが使用された箇所や打設時の生コンクリートの状態が容易に特定できるように、記録票が貼り付けられる（特許文献１−３など参照）。
【０００４】
例えば特許文献１に開示された記録票は、供試体を成形する際に使用される型枠側とコンクリート側との両面が接着面となっており、コンクリートが型枠内に充満されるまで型枠側に固定しておくことができるうえに、コンクリート硬化後は供試体の側面に貼り付いて供試体の必要事項が瞬時にわかるようになっている。
【０００５】
一方、特許文献２に開示された記録票は、コンクリート側のみが接着面になっているため、型枠内部でコンクリートが打ち上がってきて、その圧力によって記録票が内周面に押し付けられるようになるまでは、手などで記録票を押さえておくことになる。
【０００６】
さらに、特許文献３に開示されたネームラベルを覆うクリアシートは、型枠と同じ高さであるとともに、左右両側縁から直角に複数片の折曲げ部が突出されているため、型枠の内側に立て掛けておくことができる。
【先行技術文献】
【特許文献】
【０００７】
【特許文献１】特開２０１２−２１１８５３号公報
【特許文献２】特開２００６−１０５９４９号公報
【特許文献３】特開２００４−６１２６６号公報
【発明の概要】
【発明が解決しようとする課題】
【０００８】
しかしながら記載部が型枠の内周面側に向けられた記録票を、傾かせることなく型枠に貼り付けておく又は押し付けておくのは難しい。また、特許文献３に開示されたように型枠の内側に立て掛けておく場合は、型枠内部で様々な方向からコンクリート圧が作用する状況において直立を保持できるかという問題がある。
【０００９】
また、仮に水平に記録票が貼り付けられたとしても、供試体ごとに記録票の高さが異なっていると、並べたときに読み取りにくいうえに、記録用の写真を写す際などに見栄えが悪い。
【００１０】
そこで、本発明は、作業性に優れるうえに、決められた位置に容易に貼り付けることが可能なコンクリート供試体用の記録票を提供することを目的としている。
【課題を解決するための手段】
【００１１】
前記目的を達成するために、本発明のコンクリート供試体用の記録票は、コンクリート供試体に関する情報が記載されるコンクリート供試体用の記録票であって、前記コンクリート供試体を成形する際に使用される型枠の内周面に対峙させる表面側に前記情報が記載される記載部が設けられる本体部と、前記本体部の上縁から上方に延伸されるアーム部と、前記アーム部の先端に略直交する方向に向けて形成されて前記型枠の上縁部に設置される載置部とを備えることを特徴とする。
【００１２】
ここで、前記アーム部及び載置部は、複数が前記型枠の内周面の周方向に間隔を置いて略平行に形成されるのが好ましい。また、前記型枠の上縁部に対峙させる前記載置部の面を粘着面に形成するのが好ましい。
【００１３】
さらに、前記本体部の表面側が透明フィルムによって覆われるとともに、前記透明フィルムの前記型枠の内周面に対峙させる面に粘着部を設けることができる。
【発明の効果】
【００１４】
このように構成された本発明のコンクリート供試体用の記録票は、情報の記載部が設けられる本体部の上縁から上方に延伸されるアーム部と、アーム部の先端の載置部とを備えている。そして、アーム部から略直交する方向に向けて形成された載置部が、型枠の上縁部に設置される。
【００１５】
このため、記録票を型枠の上縁部から吊り下げた状態でコンクリートの充填などが行え、作業性に優れている。また、アーム部の長さによって、決められた位置に記録票の本体部を容易に配置することができる。
【００１６】
さらに、略平行なアーム部が複数設けられることによって、安定して記録票を吊り下げることができる。また、型枠の上縁部に対峙させる載置部の面を粘着面に形成することで、載置部を上縁部に接着させることができるようになり、記録票を確実に固定することが可能になる。
【００１７】
さらに、本体部を覆う透明フィルムの型枠の内周面に対峙させる面に粘着部を設ければ、粘着部を介して記録票を型枠に固定できるうえに、透明フィルムと内周面とを密着させることができる。
【図面の簡単な説明】
【００１８】
【図１】本発明の実施の形態のコンクリート供試体用の記録票の構成を示した図であって、（ａ）はコンクリート供試体を製作するために型枠の内側に記録票を吊り下げた状態を示す説明図、（ｂ）はコンクリートが打ち上がってきたことで記録票が下方からも押さえられた状態を示す説明図である。
【図２】本発明の実施の形態のコンクリート供試体用の記録票の構成を示した図であって、（ａ）は表面側から見た図、（ｂ）は裏面側から見た図である。
【図３】複数の記録票を備えた記録票シートの構成を示した平面図である。
【図４】記録票の使用方法を説明する図であって、（ａ）はコンクリート供試体の情報を記入した状態を示した斜視図、（ｂ）は（ａ）のＡ−Ａ矢視方向で見た模式的な断面図、（ｃ）は透明フィルムを閉じた状態を示す模式的な断面図である。
【図５】型枠内にコンクリートが充満された状態を示す断面図である。
【図６】図５の記録票周辺を拡大して模式的に示した説明図である。
【図７】コンクリート供試体の側面に記録票が貼り付けられた状態を示した斜視図である。
【図８】実施例１のコンクリート供試体用の記録票の構成を表面側から見た図である。
【図９】実施例２のコンクリート供試体の製作方法を説明する斜視図である。
【発明を実施するための形態】
【００１９】
以下、本発明の実施の形態について図面を参照して説明する。図１は、本実施の形態のコンクリート供試体用の記録票１の構成を示す説明図である。また、図２（ａ）は、後述する円筒状の型枠９の内周面に対峙させる記録票１の表面側を見た図である。一方、図２（ｂ）は、供試体１０となるコンクリートが充填される記録票１の裏面側を見た図である。
【００２０】
本実施の形態の記録票１は、表面側に設けられる本体部としての記載層２と、その記載層２を表面側から覆う透明フィルム３と、記載層２の上縁から上方に延伸されるアーム部５と、アーム部５の先端に形成される載置部５１と、裏面側に設けられる密着層４とを主に備えている。
【００２１】
記載層２は、コンクリートの品質に関する所定事項などの情報が印刷や記入等される記載部２１を表面に有している。そして、記載層２の裏面側が密着層４となる。
【００２２】
このため、記載層２と密着層４とを一枚のシートの表裏によって形成する場合は、コンクリートに対して耐性のある材料を使用する必要がある。すなわちコンクリートはアルカリ性であるため、耐アルカリ性、耐水性を有する化学合成紙によって記載層２を形成する。例えば「ＹＵＰＯ＃８０」（マルウ接着剤株式会社製）などを使用することができる。
【００２３】
また、記載層２が化学合成紙であれば、４週間以上の水中養生浸漬後も記入文字及び紙質に変化を生じさせないため、文字が鮮明で読みやすく、写真に写すこともできる。
【００２４】
さらに、紙質が変化しにくいので、透明フィルム３との接着が強く維持され、養生中に記録票１が供試体１０から剥がれにくいものとなる。また、記載層２として化学合成紙を用いることにより、引張強度が高いものとなり、通常では破損しにくいものとなる。
【００２５】
そして、このような取扱・記録保存がしやすいという利点によって、コンクリート品質管理記録として信頼性を高めることができる。ここで、記載層２の記載部２１には、現場で打設されたコンクリートの品質を管理する上で必要な所定事項（事業主体、工事名、コンクリート打設場所、立合人の氏名、コンクリートの採取日、スランプ試験値、採取したコンクリートの空気量、温度、塩分など）が情報として記載される。
【００２６】
この記載層２は、さらにその表面側から透明フィルム３によって覆われる（図４参照）。記載層２の少なくとも記載部２１を透明フィルム３で覆うことによって、生コンクリートのペーストが記載部２１に付着したり、記載部２１に記載された情報が水等で消失したりすることから物理的に保護することができる。
【００２７】
すなわち、透明フィルム３により記載層２の記載部２１が保護されていれば、供試体１０を製作するために型枠９内に生コンクリートを打設して養生する際や、脱型して得られた記録票１が貼り付けられた供試体１０を水中養生等する際にも、記載部２１の記載事項が読み取れなくなったり消失したりすることがない。
【００２８】
このような透明フィルム３には、耐アルカリ性、耐水性を示し、型枠９の内周面９ｂに密着しやすい材質のものが望ましい。例えば、「ＯＰＰ＃２０」（マルウ接着剤株式会社製）などを使用することができる。
【００２９】
透明フィルム３の裏面には、図４に示すように接着剤６が塗布されている。この接着剤６は、少なくとも固化後に透明性を有している必要がある。このような接着剤６には、例えばエマルジョン糊などが使用できる。
【００３０】
この記録票１は、コンクリートが硬化して型枠９が取り外されたときには、図７に示すように供試体１０の側面（周面）の上方に貼り付けられた状態になる。そして、記載部２１の記載事項は、透明フィルム３を通して表面側から読み取ることができる。
【００３１】
一方、アーム部５は、図１（ａ）に示すように、一対が型枠９の内周面９ｂの周方向に間隔を置いて略平行に形成される。このアーム部５は、図６に示すように、記載層２の上縁に接続されている。
【００３２】
アーム部５は、図２に示すように長方形に形成されており、その先端には載置部５１が形成される。このアーム部５及び載置部５１は、記載層２と同じ化学合成紙によって形成することができる。
【００３３】
このため、記載層２、アーム部５及び載置部５１を一枚の化学合成紙から一体に切り取ることができる。なお、アーム部５及び載置部５１を別に成形し、記載層２に接着剤などで接合してもよい。
【００３４】
アーム部５の長さは、図１に示すように、型枠９の上縁部９ａから記録票１を離隔させたい距離に合わせて設定することができる。また、２本のアーム部５，５の長さを同じにすることで、記録票１を上縁部９ａに略平行に傾けることなく配置することができる。
【００３５】
そして、アーム部５の先端の載置部５１が型枠９の上縁部９ａに設置される。この載置部５１は、使用時はアーム部５の延伸方向に対して略直交する方向に向けられる。
【００３６】
これに対して使用前は、図２に示すように、アーム部５と載置部５１とが一つの長方形を形成するように真っ直ぐになっていてもよい。アーム部５と載置部５１との境界の折線５４で折り曲げることによって、アーム部５と載置部５１とが側面視略Ｌ字状に形成できればよい。
【００３７】
図２（ａ）に示すように、載置部５１の表面側には粘着面５２が形成される。この粘着面５２は、言い換えると型枠９の上縁部９ａに対峙させる面に形成される。
【００３８】
粘着面５２は、接着剤を塗布することによって形成できる。この接着剤には、例えば中粘再剥離型のアクリル系溶剤（商品名「Ｒｔ−Ｈ」：マルウ接着剤株式会社製）などが使用できる。
【００３９】
一方、図２（ｂ）に示すように、載置部５１の裏面側は、化学合成紙の面がそのまま露出される非粘着面５３である。ここで、記録票１の裏面側の密着層４は、記載層２を形成する面材の裏面とすることができる。また、記載層２となる面材に密着層４となる面材を貼り合わせる構成であってもよい。
【００４０】
そして、密着層４には、図２（ｂ）及び図４（ｃ）に示すように、全面に接着剤４１を塗布する。この接着剤４１には、例えば中粘再剥離型のアクリル系溶剤（商品名「Ｒｔ−Ｈ」：マルウ接着剤株式会社製）などが使用できる。
【００４１】
以上のように構成される記録票１は、例えば図３に示すように、３枚を一組にして台紙７に貼り付けられて記録票シート１１として提供される。すなわち、密着層４に接着剤４１が塗布されているので、台紙７に貼り付けて提供することができる。なお、図３では、構成をわかりやすくするために、透明フィルム３の剥離紙８の図示は省略してある。
【００４２】
また、記録票シート１１の段階では、載置部５１の粘着面５２には剥離紙５２ａが貼り付けられている。そして、アーム部５及び載置部５１は、透明フィルム３の上に折り重ねられて、記録票シート１１が薄いシートとして取り扱えるようになっている。
【００４３】
次に、本実施の形態のコンクリート供試体用の記録票１の使用方法及び作用について、図面を参照しながら説明する。
【００４４】
まず、図４（ａ）に示すように、台紙７に貼り付けられた状態の記録票１の折り畳まれたアーム部５及び載置部５１を開いて、その下の透明フィルム３を捲る。すなわちこの段階では、透明フィルム３の裏面の接着剤６には剥離紙８が貼り付けられており、透明フィルム３が記載部２１に付着しないようになっている。
【００４５】
透明フィルム３を捲ったときに露出する記載部２１には、コンクリートの品質を管理するために必要な事項を記入する。そして、図４（ｂ）に示すように剥離紙８を透明フィルム３から剥がして、記載部２１との間に空気が入らないようにして透明フィルム３を記載部２１に密着させる（図４（ｃ））。
【００４６】
一方、図４（ａ）に示すように、折線５４の位置で折り曲げることで載置部５１を起こし、アーム部５と載置部５１とが略直角となるようにする。そして、載置部５１の剥離紙５２ａを剥がして、粘着面５２を露出させる。
【００４７】
続いて台紙７から剥がした記録票１を手に持って、図１（ａ）に示すように、透明フィルム３側を型枠９の内周面９ｂに対峙させる向きにする。そして、型枠９の上縁部９ａに載置部５１，５１の粘着面５２，５２を貼り付け（図６参照）、アーム部５，５によって記録票１を吊り下げる。
【００４８】
このようにして型枠９の内部に挿し込まれた記録票１は、型枠９の上縁部９ａから決められた距離だけ離れた位置に、上縁部９ａと略平行になるように配置される。
【００４９】
すなわち本実施の形態のコンクリート供試体用の記録票１は、情報の記載部２１が設けられる記載層２の上縁から上方に延伸されるアーム部５，５と、アーム部５，５の先端の載置部５１，５１とを備えている。そして、アーム部５から略直交する方向に向けて形成された載置部５１が型枠９の上縁部９ａに設置される。
【００５０】
このため、記録票１を型枠９の上縁部９ａから吊り下げた状態で、手で押さえていなくてもコンクリートの充填などが行えるため、作業性に優れている。また、アーム部５の長さによって決められた位置に記録票１の記載層２を容易に配置することができる。
【００５１】
さらに、略平行な２本のアーム部５，５が左右対称となる位置に設けられることによって、傾けることなく安定した状態で記録票１を吊り下げることができる。
【００５２】
また、型枠９の上縁部９ａに対峙させる載置部５１の面を粘着面５２に形成することで、載置部５１を上縁部９ａに接着させることができるようになり、記録票１を確実に固定することができる。
【００５３】
続いて、図１（ｂ）に示すように型枠９の内部にコンクリートを充填していく。コンクリートが打ち上がってくると、記録票１の下方がコンクリートによって内周面９ｂに押し付けられることになるので、より安定した状態になる。
【００５４】
図５は、型枠９の内部にコンクリートを充満させて供試体１０となった状態を示した断面図である。この状態では記録票１は、コンクリート圧によって内周面９ｂに押し付けられて固定されている。
【００５５】
図６は、構成を説明するために図５の記録票１周辺を拡大して模式的に示した図である。この図に示すように、記録票１の透明フィルム３が型枠９の内周面９ｂに密着した状態になっている。
【００５６】
一方、密着層４の接着剤４１とコンクリート成分が接触することで、接着力が発揮される。すなわち接着剤４１の接着力とセメントの付着力とによって、供試体１０の側面に記録票１を確実に付着させることができる。
【００５７】
図７は、型枠９を脱型して完成した状態の供試体１０の斜視図である。この図に示すように、記録票１は、供試体１０の上方の決められた位置に傾くことなく水平に貼り付けられることになる。
【００５８】
ここで、アーム部５と供試体１０との間には接着剤は介在していないので、アーム部５はセメントの付着力のみによって供試体１０に貼り付いている。また、アーム部５の先端には、型枠９の上縁部９ａから剥がされた載置部５１が突出している。
【００５９】
このアーム部５又は載置部５１は、そのままにしておいてもよい。これに対して、載置部５１のみ又はアーム部５を含めて、記録票１の上縁からカッターなどを使って切り離すこともできる。
【実施例１】
【００６０】
次に、前記実施の形態で説明したコンクリート供試体用の記録票１とは別の形態の記録票１Ａについて、図８を参照しながら説明する。なお、前記実施の形態で説明した内容と同一乃至均等な部分の説明については、同一用語や同一符号を付して説明する。
【００６１】
図８は、記録票１Ａを表面側から見た図である。この記録票１Ａの透明フィルム３の表面には、周縁部に沿って粘着部３１が設けられる。図８では、粘着部３１は、記載部２１の外周を囲うように四角形状に設けられている。
【００６２】
粘着部３１は、透明フィルム３の表面に接着剤を塗布することによって形成される。粘着部３１が記載部２１の領域外にある場合は、どのような接着剤を使用してもよい。
【００６３】
これに対して粘着部３１が記載部２１に記載された情報と重なる場合は、透明フィルム３と同様に透明性を確保するために、少なくとも接着剤の固化後に透明性を有しているものが好ましい。
【００６４】
また、粘着部３１は、型枠９の内周面９ｂから剥離される透明フィルム３の表面に塗布されることから、再剥離用の接着剤であることが望ましい。このような接着剤として、中粘再剥離型のアクリル系溶剤「Ｒｔ−Ｈ」（マルウ接着剤株式会社製）を使用することができる。
【００６５】
透明フィルム３の表面が型枠９から剥離しにくい程の強い接着力で接着されていると、物理的な力により透明フィルム３が塑性変形して部分的に透明性が損なわれ、記録票１Ａに記載された情報を判読しづらくなるおそれがあるが、再剥離用の接着剤であればこのような問題が発生しない。
【００６６】
このように記録票１Ａの透明フィルム３の周縁部を囲繞するように粘着部３１を設けておけば、粘着部３１を介して記録票１Ａを型枠９にしっかりと固定することができる。
【００６７】
さらに、透明フィルム３と型枠９の内周面９ｂとが密着することになるので、透明フィルム３の表面と内周面９ｂとの間に生コンクリートが浸入することを防ぐことができる。
【００６８】
このような粘着部３１が一部にでも設けられていれば、記録票１Ａを型枠９の内周面９ｂに固定することができるようになるので、載置部５１の粘着面５２の接着力が弱くても記録票１Ａが落下するのを防ぐことができる。さらに、載置部５１の粘着面５２を省略することもできる。
【００６９】
なお、他の構成及び作用効果については、前記実施の形態又は他の実施例と略同様であるので説明を省略する。
【実施例２】
【００７０】
次に、前記実施の形態で説明したコンクリート供試体用の記録票１を使った供試体１０の製作方法について、図９を参照しながら説明する。なお、前記実施の形態又は実施例１で説明した内容と同一乃至均等な部分の説明については、同一用語や同一符号を付して説明する。
【００７１】
前記実施の形態では、図１に示すように、記録票１を型枠９の内側に吊り下げただけの状態でコンクリートを打設する方法について説明した。この場合、補助的に手で押さえることもできる。
【００７２】
この実施例２では、手で押さえる代わりに、クリップ９１を使って押さえる方法について説明する。まず、記録票１の透明フィルム３側を型枠９の内周面９ｂに対峙させる向きにして、型枠９の上縁部９ａに載置部５１，５１を設置し、アーム部５，５によって記録票１を吊り下げる。ここで、載置部５１には、前記実施の形態で説明したように粘着面５２が設けられているが、省略することもできる。
【００７３】
そして、記録票１と型枠９の側壁とをクリップ９１で一緒に挟む。詳細には、クリップ９１の一方の先端を記録票１の密着層４のほぼ中央に当てて、記録票１を内周面９ｂに押し付ける。
【００７４】
このようにクリップ９１で押し付ける方法を使用することによって、載置部５１の粘着面５２や、実施例１で説明した粘着部３１を省略することができる。また、粘着面５２や粘着部３１と併用することによって、より確実に記録票１を内周面９ｂに密着させることができるようになる。
【００７５】
なお、他の構成及び作用効果については、前記実施の形態又は他の実施例と略同様であるので説明を省略する。
【００７６】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００７７】
例えば、前記実施の形態では、アーム部５を延伸させる本体部を記載層２にして説明したが、これに限定されるものではなく、本体部は透明フィルム３や密着層４を含んでいてもよい。そして、透明フィルム３や密着層４からアーム部５を延伸させることもできる。
【００７８】
また、前記実施の形態及び実施例では、２本のアーム部５，５が設けられる場合について説明したが、これに限定されるものではなく、アーム部は１本でも３本以上でもよい。
【００７９】
さらに、前記実施の形態及び実施例１では、記載部２１が透明フィルム３で覆われる場合について説明したが、これに限定されるものではなく、透明フィルムに代えてウレタンスプレーなどでコーティング層を形成することもできる。
【符号の説明】
【００８０】
１，１Ａ      記録票
２            記載層（本体部）
２１          記載部
３            透明フィルム
３１          粘着部
５            アーム部
５１          載置部
５２          粘着面
９            型枠
９ａ          上縁部
９ｂ          内周面
１０          （コンクリート）供試体
【図１】
2015141189.tif 000003
【図２】
2015141189.tif 000004
【図３】
2015141189.tif 000005
【図４】
2015141189.tif 000006
【図５】
2015141189.tif 000007
【図６】
2015141189.tif 000008
【図７】
2015141189.tif 000009
【図８】
2015141189.tif 000010
【図９】
2015141189.tif 000011